【手続補正書】
【提出日】平成28年1月11日(2016.1.11)
【手続補正１】
【補正対象書類名】特許請求の範囲
【補正対象項目名】全文
【補正方法】変更
【補正の内容】
【特許請求の範囲】
【請求項１】
受光素子、第１のトランジスタ、及び第２のトランジスタを有するフォトセンサと、配線と、信号線と、電源線と、光源と、を有し、
前記配線は、前記受光素子の一方の電極と電気的に接続され、
前記信号線は、前記第１のトランジスタのゲート電極と電気的に接続され、
前記電源線は、前記第２のトランジスタのソース電極又はドレイン電極の一方と電気的に接続され、
前記第１のトランジスタのソース電極又はドレイン電極の一方は、前記第２のトランジスタのゲート電極と電気的に接続され、
前記第１のトランジスタのソース電極又はドレイン電極の他方は、前記受光素子の他方の電極、及び前記第２のトランジスタのソース電極又はドレイン電極の他方と電気的に接続されている距離測定装置であって、
前記光源は、被検出物に対して一定時間Ｔの光照射をｎ（ｎは２以上の自然数）回行い、
前記受光素子は、前記光源から照射された光が前記被検出物で反射されることで生じる反射光を検出し、
前記第１のトランジスタは、前記光照射１回につき、前記一定時間Ｔ以上、導通状態となり、かつ、前記光照射の終了と同時に前記導通状態が終了し、
前記フォトセンサが、前記光源と前記被検出物との間の距離ｘに応じた信号を出力することを特徴とする距離測定装置。
【請求項２】
請求項１に記載の距離測定装置と、
前記距離ｘを、数式（１）を用いて算出する処理部と、を有することを特徴とする距離測定システム。
【数１】
2013224931.tif 000001
（ただし、数式（１）において、Ｓ１は、前記一定時間Ｔの光照射が前記ｎ回行われた後の前記第１のトランジスタの前記ソース電極又はドレイン電極の一方の電位の変化量に応じた検出信号の電圧を表し、ｎは、２以上の自然数を表し、ｃは、光速を表し、ｋは、定数を表す。）
【請求項３】
受光素子、第１のトランジスタ、及び第２のトランジスタを有するフォトセンサと、配線と、信号線と、電源線と、光源と、を有し、
前記配線は、前記受光素子の一方の電極と電気的に接続され、
前記信号線は、前記第１のトランジスタのゲート電極と電気的に接続され、
前記電源線は、前記第２のトランジスタのソース電極又はドレイン電極の一方と電気的に接続され、
前記第１のトランジスタのソース電極又はドレイン電極の一方は、前記第２のトランジスタのゲート電極と電気的に接続され、
前記第１のトランジスタのソース電極又はドレイン電極の他方は、前記受光素子の他方の電極、及び前記第２のトランジスタのソース電極又はドレイン電極の他方と電気的に接続されている距離測定装置であって、
前記光源は、被検出物に対して一定時間の光照射をｎ（ｎは２以上の自然数）回行い、
前記受光素子は、前記光源から照射された光が前記被検出物で反射されることで生じる反射光を検出し、
前記第１のトランジスタは、前記光照射１回につき１回、導通状態となり、前記導通状態は、前記光照射の終了と同時に開始し、前記受光素子における前記反射光の検出の終了より後に終了し、
前記フォトセンサが、前記光源と前記被検出物との間の距離ｘに応じた信号を出力することを特徴とする距離測定装置。
【請求項４】
請求項３に記載の距離測定装置と、
前記距離ｘを、数式（２）を用いて算出する処理部と、を有することを特徴とする距離測定システム。
【数２】
2013224931.tif 000002
（ただし、数式（２）において、Ｓ２は、前記一定時間の光照射が前記ｎ回行われた後の前記第１のトランジスタの前記ソース電極又はドレイン電極の一方の電位の変化量に応じた検出信号の電圧を表し、ｎは、２以上の自然数を表し、ｃは、光速を表し、ｋは、定数を表す。）
【請求項５】
第１の受光素子、第１のトランジスタ、及び第２のトランジスタを有する第１のフォトセンサと、配線と、信号線と、電源線と、光源と、を有し、
前記配線は、前記第１の受光素子の一方の電極と電気的に接続され、
前記信号線は、前記第１のトランジスタのゲート電極と電気的に接続され、
前記電源線は、前記第２のトランジスタのソース電極又はドレイン電極の一方と電気的に接続され、
前記第１のトランジスタのソース電極又はドレイン電極の一方は、前記第２のトランジスタのゲート電極と電気的に接続され、
前記第１のトランジスタのソース電極又はドレイン電極の他方は、前記第１の受光素子の他方の電極、及び前記第２のトランジスタのソース電極又はドレイン電極の他方と電気的に接続されている距離測定装置であって、
前記光源は、被検出物に対して一定時間Ｔの第１の光照射を連続してｎ（ｎは２以上の自然数）回行い、かつ、前記一定時間Ｔの第２の光照射を連続して前記ｎ回行い、
前記第１の受光素子は、前記光源から照射された光が前記被検出物で反射されることで生じる反射光を検出し、
前記第１のトランジスタは、前記第１の光照射１回につき、前記一定時間Ｔ以上、第１の導通状態となり、かつ、前記第１の光照射の終了と同時に前記第１の導通状態が終了し、前記第２の光照射１回につき１回、第２の導通状態となり、前記第２の導通状態は、前記第２の光照射の終了と同時に開始し、前記第１の受光素子における前記反射光の検出の終了より後に終了し、
前記フォトセンサが、前記光源と前記被検出物との間の距離ｘに応じた信号を出力することを特徴とする距離測定装置。
【請求項６】
第２の受光素子を有する第２のフォトセンサを、前記第１のフォトセンサと重畳して備えることを特徴とする、請求項５に記載の距離測定装置。
【請求項７】
前記第１の受光素子と前記第２の受光素子とが重畳し、
前記第１の受光素子が、第１の波長域の光を吸収し、
前記第２の受光素子が、第２の波長域の光を吸収し、
前記第１の受光素子及び前記第２の受光素子のうち前記被検出物からの距離が短い一方は、他方が吸収する波長域の光の少なくとも一部を透過することを特徴とする、請求項６に記載の距離測定装置。
【請求項８】
前記配線が、リセット信号線であることを特徴とする、請求項５乃至請求項７のいずれか一項に記載の距離測定装置。
【請求項９】
第３のトランジスタを有し、
前記第３のトランジスタのゲート電極は、リセット信号線と電気的に接続され、
前記第３のトランジスタのソース電極又はドレイン電極の一方は、前記第１のトランジスタのソース電極又はドレイン電極の一方、及び前記第２のトランジスタのゲート電極と電気的に接続され、
前記第３のトランジスタのソース電極又はドレイン電極の他方は、リセット電源線と電気的に接続され、
前記配線が固定電源線であることを特徴とする、請求項５乃至請求項７のいずれか一項に記載の距離測定装置。
【請求項１０】
前記第３のトランジスタの半導体層が、酸化物半導体を含むことを特徴とする請求項９に記載の距離測定装置。
【請求項１１】
請求項５乃至請求項１０のいずれか一項に記載の距離測定装置と、
前記距離ｘを、数式（３）を用いて算出する処理部と、を有することを特徴とする距離測定システム。
【数３】
2013224931.tif 000003
（ただし、数式（３）において、Ｓ１は、前記一定時間Ｔの前記第１の光照射が前記ｎ回行われた後の、前記第１のトランジスタの前記ソース電極又はドレイン電極の一方の電位の変化量に応じた検出信号の電圧を表し、Ｓ２は、前記一定時間Ｔの前記第２の光照射が前記ｎ回行われた後の、前記第１のトランジスタの前記ソース電極又はドレイン電極の一方の電位の変化量に応じた検出信号の電圧を表し、ｎは、２以上の自然数を表し、ｃは光速を表す。）
【請求項１２】
第１の受光素子、第１のトランジスタ、及び第２のトランジスタを有する第１のフォトセンサと、
第２の受光素子、第３のトランジスタ、及び第４のトランジスタを有し、前記第１のフォトセンサと隣接する第２のフォトセンサと、
第１の配線及び第２の配線と、
第１の信号線及び第２の信号線と、
第１の電源線及び第２の電源線と、
光源と、を有し、
前記第１の配線は、前記第１の受光素子の一方の電極と電気的に接続され、
前記第１の信号線は、前記第１のトランジスタのゲート電極と電気的に接続され、
前記第１の電源線は、前記第２のトランジスタのソース電極又はドレイン電極の一方と電気的に接続され、
前記第１のトランジスタのソース電極又はドレイン電極の一方は、前記第２のトランジスタのゲート電極と電気的に接続され、
前記第１のトランジスタのソース電極又はドレイン電極の他方は、前記第１の受光素子の他方の電極、及び前記第２のトランジスタのソース電極又はドレイン電極の他方と電気的に接続され、
前記第２の配線は、前記第２の受光素子の一方の電極と電気的に接続され、
前記第２の信号線は、前記第３のトランジスタのゲート電極と電気的に接続され、
前記第２の電源線は、前記第４のトランジスタのソース電極又はドレイン電極の一方と電気的に接続され、
前記第３のトランジスタのソース電極又はドレイン電極の一方は、前記第４のトランジスタのゲート電極と電気的に接続され、
前記第３のトランジスタのソース電極又はドレイン電極の他方は、前記第２の受光素子の他方の電極、及び前記第４のトランジスタのソース電極又はドレイン電極の他方と電気的に接続されている距離測定装置であって、
前記光源は、被検出物に対して一定時間Ｔの光照射をｎ（ｎは２以上の自然数）回行い、
前記第１の受光素子及び前記第２の受光素子は、前記光源から照射された光が前記被検出物で反射されることで生じる反射光を検出し、
前記第１のトランジスタは、前記光照射１回につき、前記一定時間Ｔ以上、導通状態となり、かつ、前記光照射の終了と同時に前記導通状態が終了し、
前記第３のトランジスタは、前記光照射１回につき１回、導通状態となり、前記導通状態は、前記光照射の終了と同時に開始し、前記第２の受光素子における前記反射光の検出の終了より後に終了し、
前記フォトセンサが、前記光源と前記被検出物との間の距離ｘに応じた信号を出力することを特徴とする距離測定装置。
【請求項１３】
前記第１の配線が、第１のリセット信号線であり、
前記第２の配線が、第２のリセット信号線であることを特徴とする、請求項１２に記載の距離測定装置。
【請求項１４】
第５のトランジスタ及び第６のトランジスタを有し、
前記第５のトランジスタのゲート電極は、第１のリセット信号線と電気的に接続され、
前記第５のトランジスタのソース電極又はドレイン電極の一方は、前記第１のトランジスタのソース電極又はドレイン電極の一方、及び前記第２のトランジスタのゲート電極と電気的に接続され、
前記第５のトランジスタのソース電極又はドレイン電極の他方は、第１のリセット電源線と電気的に接続され、
前記第６のトランジスタのゲート電極は、第２のリセット信号線と電気的に接続され、
前記第６のトランジスタのソース電極又はドレイン電極の一方は、前記第３のトランジスタのソース電極又はドレイン電極の一方、及び前記第４のトランジスタのゲート電極と電気的に接続され、
前記第６のトランジスタのソース電極又はドレイン電極の他方は、第２のリセット電源線と電気的に接続され、
前記第１の配線が、第１の固定電源線であり、
前記第２の配線が、第２の固定電源線であることを特徴とする、請求項１２に記載の距離測定装置。
【請求項１５】
前記第３のトランジスタの半導体層が、酸化物半導体を含むことを特徴とする請求項１２乃至請求項１４のいずれか一項に記載の距離測定装置。
【請求項１６】
前記第４のトランジスタの半導体層が、酸化物半導体を含むことを特徴とする請求項１２乃至請求項１５のいずれか一項に記載の距離測定装置。
【請求項１７】
前記第１のトランジスタの半導体層が、酸化物半導体を含むことを特徴とする請求項１２乃至請求項１６のいずれか一項に記載の距離測定装置。
【請求項１８】
前記第２のトランジスタの半導体層が、酸化物半導体を含むことを特徴とする請求項１２乃至請求項１７のいずれか一項に記載の距離測定装置。
【請求項１９】
請求項１２乃至請求項１８のいずれか一項に記載の距離測定装置と、
前記距離ｘを、数式（３）を用いて算出する処理部と、を有することを特徴とする距離測定システム。
【数４】
2013224931.tif 000004
（ただし、数式（３）において、Ｓ１は、前記一定時間Ｔの前記光照射が前記ｎ回行われた後の、前記第１のトランジスタの前記ソース電極又はドレイン電極の一方の電位の変化量に応じた検出信号の電圧を表し、Ｓ２は、前記一定時間Ｔの前記光照射が前記ｎ回行われた後の、前記第３のトランジスタの前記ソース電極又はドレイン電極の一方の電位の変化量に応じた検出信号の電圧を表し、ｎは、２以上の自然数を表し、ｃは光速を表す。）